【手続補正書】
【提出日】平成21年8月6日(2009.8.6)
【手続補正１】
【補正対象書類名】特許請求の範囲
【補正対象項目名】全文
【補正方法】変更
【補正の内容】
【特許請求の範囲】
【請求項１】
構成が異なる複数の機種の電子装置のそれぞれに接続可能に構成されたマザーボードであって、
該電子装置に関する設定処理を行なうための設定情報を保存する設定情報保存部と、
該電子装置の機種を特定可能な識別情報を取得可能な識別情報取得部と、
該電子装置の機種に応じて該設定情報を変更するための変更情報を保存する変更情報保存部と、
該識別情報取得部によって取得された該識別情報と、該変更情報保存部に保存された該変更情報とに基づいて、該設定情報保存部に保存された設定情報を、当該マザーボードが取り付けられた該電子装置の機種に応じて変更する設定情報変更部と、
該設定情報変更部によって変更された該設定情報に基づいて、該電子装置に関する該設定処理を行なう設定処理部とをそなえることを特徴とする、マザーボード。
【請求項２】
装置本体と、該装置本体に取り付け可能に構成されるとともに、当該情報処理装置とは構成が異なる他の機種の情報処理装置の装置本体に対しても取り付け可能なマザーボードとをそなえた情報処理装置であって、
該情報処理装置の機種を特定可能な識別情報を保持する識別情報保持部をそなえるとともに、
該マザーボードが、
当該情報処理装置に関する設定処理を行なうための設定情報を保存する設定情報保存部と、
該装置本体に取り付けられた状態で、該識別情報保持部から該識別情報を取得可能な識別情報取得部と、
該情報処理装置の機種に応じて該設定情報を変更するための変更情報を保存する変更情報保存部と、
該識別情報取得部によって取得された該識別情報と、該変更情報保存部に保存された該変更情報とに基づいて、該設定情報保存部に保存された設定情報を、当該マザーボードが取り付けられた該情報処理装置の機種に応じて変更する設定情報変更部と、
該設定情報変更部によって変更された該設定情報に基づいて、該情報処理装置に関する該設定処理を行なう設定処理部とをそなえることを特徴とする、情報処理装置。
【請求項３】
装置本体と、該装置本体に取り付け可能に構成されるとともに、互いに構成が異なる複数の機種の情報処理装置の装置本体に対しても取り付け可能に構成されたマザーボードとをそなえて構成された情報処理装置における設定方法であって、
該情報処理装置の機種を特定可能な識別情報を取得する識別情報取得ステップと、
該識別情報取得ステップにおいて取得された該識別情報と、該情報処理装置の機種に応じて該設定情報を変更するための変更情報とに基づいて、設定情報保存部に保存された該情報処理装置の設定処理を行なうための設定情報を、当該マザーボードが取り付けられた該情報処理装置の機種に応じて変更する設定情報変更ステップと、
該設定情報変更ステップにおいて変更された該設定情報に基づいて、該情報処理装置に関する該設定処理を行なう設定処理ステップとをそなえることを特徴とする、設定方法。
【請求項４】
装置本体と、該装置本体に取り付け可能に構成されるとともに、互いに構成が異なる複数の機種の情報処理装置の装置本体に対しても取り付け可能に構成されたマザーボードとをそなえて構成されたコンピュータに、設定機能を実行させるための設定プログラムであって、
該情報処理装置の機種を特定可能な識別情報を取得する識別情報取得ステップと、
該識別情報取得ステップにおいて取得された該識別情報と、該情報処理装置の機種に応じて該設定情報を変更するための変更情報とに基づいて、設定情報保存部に保存された該情報処理装置の設定処理を行なうための設定情報を、当該マザーボードが取り付けられた該情報処理装置の機種に応じて変更する設定情報変更ステップと、
該設定情報変更ステップにおいて変更された該設定情報に基づいて、該情報処理装置に関する該設定処理を行なう設定処理ステップとを、該コンピュータに実行させることを特徴とする、設定プログラム。
【請求項５】
装置本体と、該装置本体に取り付け可能に構成されるとともに、互いに構成が異なる複数の機種の情報処理装置に対しても取り付け可能に構成されたマザーボードとをそなえて構成されたコンピュータに、設定機能を実行させるための設定プログラムを記録したコンピュータ読取可能な記録媒体であって、
該設定プログラムが、
該情報処理装置の機種を特定可能な識別情報を取得する識別情報取得ステップと、
該識別情報取得ステップにおいて取得された該識別情報と、該情報処理装置の機種に応じて該設定情報を変更するための変更情報とに基づいて、設定情報保存部に保存された該情報処理装置の設定処理を行なうための設定情報を、当該マザーボードが取り付けられた該情報処理装置の機種に応じて変更する設定情報変更ステップと、
該設定情報変更ステップにおいて変更された該設定情報に基づいて、該情報処理装置に関する該設定処理を行なう設定処理ステップとを、該コンピュータに実行させることを特徴とする、設定プログラムを記録したコンピュータ読取可能な記録媒体。
【手続補正２】
【補正対象書類名】明細書
【補正対象項目名】００１６
【補正方法】変更
【補正の内容】
【００１６】
また、本発明の情報処理装置（請求項２）は、装置本体と、該装置本体に取り付け可能に構成されるとともに、当該情報処理装置とは構成が異なる他の機種の情報処理装置の装置本体に対しても取り付け可能なマザーボードとをそなえた情報処理装置であって、該情報処理装置の機種を特定可能な識別情報を保持する識別情報保持部をそなえるとともに、該マザーボードが、当該情報処理装置に関する設定処理を行なうための設定情報を保存する設定情報保存部と、該装置本体に取り付けられた状態で、該識別情報保持部から該識別情報を取得可能な識別情報取得部と、該情報処理装置の機種に応じて該設定情報を変更するための変更情報を保存する変更情報保存部と、該識別情報取得部によって取得された該識別情報と、該変更情報保存部に保存された該変更情報とに基づいて、該設定情報保存部に保存された設定情報を、当該マザーボードが取り付けられた該情報処理装置の機種に応じて変更する設定情報変更部と、該設定情報変更部によって変更された該設定情報に基づいて、該情報処理装置に関する該設定処理を行なう設定処理部とをそなえることを特徴としている。
【手続補正３】
【補正対象書類名】明細書
【補正対象項目名】００２８
【補正方法】変更
【補正の内容】
【００２８】
そして、このＰＯＳ端末１０１ａにおいては、温度センサ１０４−１によりマザーボード１０２に搭載されたＣＰＵ１１付近の温度を測定し、この温度センサ１０４−１による測定結果に基づいて電源ファン１０５−１の制御を行なうことにより、ＣＰＵ１１の温度が所定値以上にならないよう制御が行なわれるようになっている。
すなわち、ＰＯＳ端末１０１ａにおいては、電源ファン１０５−１のモータの回転数制御を行なうことによりＣＰＵ１１の冷却を行なう電源ファン回転数制御が行なわれ、例えば、ＣＰＵ１１の温度が高温の時に電源ファン１０５−１を高速回転させることでＣＰＵ１１の冷却が行なわれる。
【手続補正４】
【補正対象書類名】明細書
【補正対象項目名】００４０
【補正方法】変更
【補正の内容】
【００４０】
すなわち、変更情報１３２は、少なくとも、ＰＯＳ端末１０１の複数の機種間で異なるＢＩＯＳ設定項目について、ＰＯＳ端末１０１の機種に対応させて、その設定値（変更すべき値）を設定することにより構成されている。
例えば、ＰＯＳ端末１０１ａとＰＯＳ端末１０１ｂとでは、上述の如く、電源ファン回転数制御機能において異なっているので、ＰＯＳ端末１０１ａ（個別ＩＤ＝０）は電源ファン回転数制御機能を“有効”にする一方で、ＰＯＳ端末１０１ｂ（個別ＩＤ＝１）は電源ファン回転数制御機能を“無効”にする旨の情報が、変更情報１３２として用いられる。電源ファン回転数制御機能とは、ＣＰＵ温度による電源ファンの回転数を制御する機能をいう。ＰＯＳ端末１０１ｂにおいては電源温度により電源ファンの回転数は制御されるようになっている。
【手続補正５】
【補正対象書類名】明細書
【補正対象項目名】００５８
【補正方法】変更
【補正の内容】
【００５８】
この図９に示す例においては、ＣＭＯＳメモリ１３における0x41のビット７〜５に、ブートディスプレイに関する種々の設定を行なっており、0x41のビット７〜５のビット列が111の場合にのみ、ブートディスプレイに関する個別ＩＤが有効となるようになっている。
そして、本変形例においては、ＣＭＯＳメモリ１３（0x41のビット７〜５の領域）が、設定情報変更部１１２により設定情報の変更を行なうか否かを設定可能な設定部として機能するようになっている。
【手続補正６】
【補正対象書類名】明細書
【補正対象項目名】００６５
【補正方法】変更
【補正の内容】
【００６５】
この図１０に示す例においては、個別ＩＤが有効の場合に、１番ピンと２番ピンとが結線されている場合（一体型のＰＯＳ端末１０１ａの場合）には、ＣＭＯＳ設定情報１３１における「CPU FAN alarm」を“Disable”にするとともに、「PSU FAN alarm」を“Pattern#1”に設定することを示しており、又、２番ピンと３番ピンとが結線されている場合（分離型のＰＯＳ端末１０１ｂの場合）には、「CPU FAN alarm」を電源断（Shutdown）にするとともに、「PSU FAN alarm」を“Pattern#2”に設定することを示している。
【手続補正７】
【補正対象書類名】明細書
【補正対象項目名】００７０
【補正方法】変更
【補正の内容】
【００７０】
そして、ＣＰＵ１１は、ハードウェア監視モードが有効であるか否かを確認し（ステップＢ６０）、ハードウェア監視モードが有効である場合には（ステップＢ６０の“有効”ルート参照）、設定情報変更部１１２が、変更情報１３２を参照して、ＣＭＯＳ設定情報１３１における「CPU FAN alarm」を“Disable”にするとともに、「PSU FAN alarm」を“Pattern#1”に設定する（ステップＢ７０；設定情報変更ステップ）。
【手続補正８】
【補正対象書類名】明細書
【補正対象項目名】００７３
【補正方法】変更
【補正の内容】
【００７３】
そして、ＣＰＵ１１は、ハードウェア監視モードが有効であるか否かを確認し（ステップＢ９０）、ハードウェア監視モードが有効である場合には（ステップＢ９０の“有効”ルート参照）、設定情報変更部１１２が、変更情報１３２を参照して、ＣＭＯＳ設定情報１３１における「CPU FAN alarm」を“Shutdown”にするとともに、「PSU FAN alarm」を“Pattern#2”に設定し（ステップＢ１００；設定情報変更ステップ）、ステップＢ１１０に移行する。
【手続補正９】
【補正対象書類名】明細書
【補正対象項目名】００７５
【補正方法】変更
【補正の内容】
【００７５】
このように、本発明の一実施形態の変形例としてのマザーボード１０２をそなえたＰＯＳ端末１０１においても、上述した一実施形態と同様の作用効果を得ることができる他、ＣＭＯＳメモリ１３における所定の領域（例えば、0x41のビット７〜５）に、ブートディスプレイに関する種々の設定を行ない、この0x41のビット７〜５のビット列が111の場合にのみ、ブートディスプレイに関する個別ＩＤが有効とすることにより、この個別ＩＤに基づくＣＭＯＳ設定情報１３１の自動変更処理を有効にすることができる。従って、ＣＭＯＳ設定情報１３１の自動変更を行なうか否かを任意に設定することができ、柔軟性が高い。
【手続補正１０】
【補正対象書類名】明細書
【補正対象項目名】００７９
【補正方法】変更
【補正の内容】
【００７９】
同様に、マザーボード１０２にそなえられた個別ＩＤ設定部２１についても、ディップスイッチ等の設定値を変更可能に構成された機器を用いて構成することができ、これにより、個別ＩＤを変更可能にすることができ、システムをより柔軟に構成することができる。
また、上述した変形例においては、ＣＭＯＳメモリ１３における所定位置（0x41のビット７〜５）の値が111の場合にのみ個別ＩＤが有効となるようになっているが、これに限定されるものではなく、個別ＩＤが有効であるか否かを示す設定を、ＣＭＯＳメモリ１３における0x41以外の位置に格納してもよく、又、111以外の設定値の場合に個別ＩＤを有効としてもよい。
【手続補正１１】
【補正対象書類名】明細書
【補正対象項目名】００８９
【補正方法】変更
【補正の内容】
【００８９】
（付記５）  該設定部において、該設定情報における個々の項目毎に、前記変更を行なうか否かの設定を行なうことを特徴とする、付記４記載のマザーボード。
（付記６）  装置本体と、該装置本体に取り付け可能に構成されるとともに、当該情報処理装置とは構成が異なる他の機種の情報処理装置の装置本体に対しても取り付け可能なマザーボードとをそなえた情報処理装置であって、
該情報処理装置の機種を特定可能な識別情報を保持する識別情報保持部をそなえるとともに、
該マザーボードが、
当該情報処理装置に関する設定処理を行なうための設定情報を保存する設定情報保存部と、
該装置本体に取り付けられた状態で、該識別情報保持部から該識別情報を取得可能な識別情報取得部と、
該情報処理装置の機種に応じて該設定情報を変更するための変更情報を保存する変更情報保存部と、
該識別情報取得部によって取得された該識別情報と、該変更情報保存部に保存された該変更情報とに基づいて、該設定情報保存部に保存された設定情報を、当該マザーボードが取り付けられた該情報処理装置の機種に応じて変更する設定情報変更部と、
該設定情報変更部によって変更された該設定情報に基づいて、該情報処理装置に関する該設定処理を行なう設定処理部とをそなえることを特徴とする、情報処理装置。